(57)【要約】【課題】  歯につけると同時に噛み合わせを変える構成としたから、公知の機能的矯正装置で一番気になる噛み合わせが変わるまでの期間が長いという問題点を一気に解決するものである。また、乳歯の残っている子供の患者に適用することにより、永久歯の中でも一番長く使う歯である第一大臼歯をいまより出させ、その子にとってバランスのよいいわばニュートラルゾーンに移動させる機能的矯正キャップを提供することを目的とするものである。さらに、機能的矯正装置を装着していることを他人に気づかれない、知られない工夫を施して、患者の心情にも気配りしている。【解決手段】  白色のプラスチックで高さがある臼歯状に作られるとともに、内側は凹状として臼歯に装着可能として成形されてなるものである。【選択図】図１
2010200986.tif 000002
【特許請求の範囲】
【請求項１】
プラスチックで高さがある臼歯状に作られるとともに、内側は凹状として臼歯に装着可能として形成されてなることを特徴とする歯科用機能的矯正キャップ。
【請求項２】
プラスチックで高さがある臼歯状に作られるとともに、内側は凹状として奥歯の乳歯に装着可能として形成されてなることを特徴とする歯科用機能的矯正キャップ。
【請求項３】
白色のプラスチックで形成されてなることを特徴とする請求項１および２記載の歯科用機能的矯正キャップ。
【発明の詳細な説明】
【技術分野】
【０００１】
本発明は、歯並びを楽に治すための機能的矯正キャップに関するものである。
【背景技術】
【０００２】
従前から、機能的矯正装置としては、バイオネーター（Ｂｉｏｎａｔｏｒ）、ビムラー（Ｂｉｍｌｅｒ）、ムー（ＭＵＨ）などが知られている。この機能的矯正が考え出された歴史は古く、正常な筋機能は正常な咬合を導き、異常な筋機能は不正咬合を招くという知見に基づいている。したがって、機能的矯正とは、異常な筋機能を正常な筋機能に戻すことにある。筋機能のバランスを整えることでもある。歯列弓（はならび）は機能の調和によって成り立つからである。上記の機能的矯正装置の利点をあげるとつぎのようになる。
１上記に示した機能的矯正装置はいずれも取り外しできるため夜いれるだけでよい。
２小さな子供でも痛くなく使用できる。
３抜歯を必要としない
４虫歯になりづらい
５後戻りが少ない
６歯とあごを一緒に治していく
７上顎と下顎のバランスがきれいになる
８指シャブリなどの癖が治る
９最悪、もしつかわなかったとしても今より絶対悪くならない
などがある。
【０００３】
本来、機能的矯正装置は使うことによって異常な筋機能を正常な筋機能に戻すことにあるから、使用すれば使用するほどその効果が期待でき、理想としては四六時中つけっぱなしで使用してもらいたいものである。上記した機能的矯正装置が取り外し式であるのは、食事のときなどに邪魔であることが主たる理由であるが、それ以外の理由としては、矯正装置を装着していることが外観から一目瞭然であるため、他人に知られたくない、気づかれたくないという患者の心情を考慮していることもある。とくに子供は学校でからかわれるとその使用を嫌がることになりかねなかったものである。
また、機能的矯正装置の一番の目的は正常な筋機能に戻して正常な咬合に導くことにある。言い換えれば、噛み合わせを変化させ正しい噛み合わせに導くことにある。ところが、上記の公知の機能的矯正装置はいずれも噛み合わせが変化するまでに長い期間がかかるという難点がある上に、程度の差はあれ口の中に違和感を覚えるという不満もあった。
【特許文献１】特開平０８−２８０７１１号
【発明の開示】
【発明が解決しようとする課題】
【０００４】
本発明は、上記した実状に鑑みてなされたもので、歯につけても患者の違和感が公知の機能的矯正装置に比べると著しく少なくすることにより、取り外し式ではない固定構成を採用することができ、使用すれば使用するほどその効果が期待できる機能的矯正装置の利点を最大限に活かすとともに、歯につけると同時に噛み合わせを変える構成としたから、公知の機能的矯正装置で一番気になる噛み合わせが変わるまでの期間が長いという問題点を一気に解決する機能的矯正キャップを提供することをその目的とするものである。
また、乳歯の残っている子供に適用することにより、永久歯の中でも一番長く使う歯である第一大臼歯をいまより出させ、その子にとってバランスのよいいわばニュートラルゾーンに移動させる機能的矯正キャップを提供することを目的とするものである。
さらに、機能的矯正装置を装着していることを他人に気づかれない、知られない工夫を施して、使う人の心情にも気配りした機能的矯正キャップを提供することをその目的とするものである。
【課題を解決するための手段】
【０００５】
本発明に係る機能的矯正キャップは、プラスチックで高さがある臼歯状に作られるとともに、内側は凹状として臼歯に装着可能に成形されてなるものである。
また、本発明に係る機能的矯正キャップは、プラスチックで高さがある臼歯状に作られるとともに、内側は凹状として奥歯の臼歯に装着可能に成形されてなるものである。
上記本発明に係る機能的矯正キャップは白色のプラスチックで形成するとよい。
【発明の効果】
【０００６】
本発明に係る機能的矯正キャップによれば、白色のプラスチックで高さがある臼歯状に作られるとともに、内側は凹状として臼歯に装着可能としてなるから、これを実際に患者の歯に装着すると噛み合せが高く変わる。同時に口の中が広く舌の動く範囲も広くなるから、継続して使用することにより舌圧と頬圧の力の働きも相俟って前後左右の顎の位置が理想的な位置に動き、歯の移動する余地を拡大して自然にその人にとってバランスのよいニュートラルゾーンに移動させる効果が得られる。
また、プラスチックで成形されているから他の金属の機能的矯正装置と比べると装着時の違和感のなさが際立っているし、レントゲン透過性もある。  
さらに、白色のプラスチックで成形されているからキャップを装着していることを他人に気づかれたり、あるいは知られたりすることない上に、歯につけたまま食事もすることができ、つけっぱなしで使用するので、取り外し式の機能的矯正装置に比べると問題点を解決する時間を著しく短くすることができる。
【発明を実施するための最良の形態】
【０００７】
本発明に係る機能的矯正キャップを、たとえば奥歯の乳歯に装着可能に、白色のプラスチックで高さがある臼歯状に作るとともに、内側は凹状に成形する。そして実際の治療にあたって、患者の奥歯の乳歯に上記機能的矯正キャップを接着剤などで取り外せないように装着すれば、高さがあるキャップであるから歯に装着すると同時に噛み合せがかわり、口の中が広くなり舌の動く範囲も広くなるから、その状態で使用を継続すれば舌圧と頬圧の力の働きが相俟って前後左右の顎の位置が理想的な位置に動き、永久歯の中でも一番長く使う歯である大切な第一大臼歯をいまより出させその子にとってバランスのよいニュートラルゾーンへ移動させ、同時に歯並びを全体的にも正常に導く効果が得られる。
また、白色のプラスチックで成形されているからキャップを装着していることを他人に気づかれたり、あるいは知られたりすることなく、外すことなく使用できるので使用すれば使用するほどその効果が期待できる機能的矯正装置の利点を最大限に活かすことができる。
【実施例１】
【０００８】
以下、本発明の機能的矯正キャップについて、実施例に示したモデルに基づき説明する。
本発明に係る機能的矯正キャップを乳歯がまだ残っている患者（７歳6ヶ月の男の子）に適用した実施の一例として示す。永久歯の第一大臼歯の噛み合わせが悪いのでそれを治すことに主眼を置いている。
本発明に係る機能的矯正キャップとして上顎第一乳臼歯キャップ１Ａ, １Ｂ、上顎第二乳臼歯キャップ２Ａ, ２Ｂ、下顎第一乳臼歯キャップ３Ａ, ３Ｂ、下顎第二乳臼歯キャップ４Ａ, ４Ｂの計８本を用意した。図１〜図３は上顎第二乳臼歯２Ａの平面写真、底面写真、側面写真をそれぞれ示している。図２および図３の写真で明らかなように、キャップの内側は患者の歯に装着可能な凹状部５が成形されている。このように機能的矯正キャップはすべて対応する患者の歯に装着可能な凹状部が成形されている。
図４は上顎石膏モデル６のキャップ未装着平面写真で、上顎第一乳臼歯キャップ１Ａ, １Ｂと上顎第二乳臼歯２Ａ, ２Ｂを左右に並べている。図５は上顎石膏モデル６のキャップ装着平面写真で、上顎石膏モデル６の上顎第一乳臼歯と上顎第二乳臼歯に、上記上顎第一乳臼歯キャップ１Ａ, １Ｂと上顎第二乳臼歯２Ａ, ２Ｂが装着されている。実際には接着剤などを使用して取り外せないように固定させる。固定手段についてはどのような固定手段を用いてもよい。取り外すときに容易に取り外しできる固定手段であってもよい。
図６は下顎石膏モデル７のキャップ未装着平面写真で、下顎一乳臼歯キャップ３Ａ, ３Ｂ、下顎第二乳臼歯キャップ４Ａ, ４Ｂを左右に並べている。図７は上顎石膏モデル７のキャップ装着平面写真で、下顎石膏モデル７の下顎第一乳臼歯と下顎第二乳臼歯に、下顎一乳臼歯キャップ３Ａ, ３Ｂ、下顎第二乳臼歯キャップ４Ａ, ４Ｂが装着されている。
また図８は上顎石膏モデル６のキャップ未装着正面写真で、上顎第一乳臼歯キと上顎第二乳臼歯は普通の高さにある。図９は上顎石膏モデル６のキャップ装着正面写真で、上顎石膏モデル６の上顎第一乳臼歯と上顎第二乳臼歯に、上記上顎第一乳臼歯キャップ１Ａ, １Ｂと上顎第二乳臼歯２Ａ, ２Ｂが装着され、キャップの高さがあることが明らかである。
図１０は下顎石膏モデル７のキャップ装着正面写真で、下顎第一乳臼歯と下顎第二乳臼歯は普通の高さにある。図１１は下顎石膏モデル７のキャップ装着正面写真で、下顎石膏モデル７の下顎第一乳臼歯と下顎第二乳臼歯に、上記下顎一乳臼歯キャップ３Ａ, ３Ｂ、下顎第二乳臼歯キャップ４Ａ, ４Ｂが装着され、キャップの高さがあることが明らかである。
【０００９】
実際に子供に適用した実施の一例を示す。図１２〜図１７に矯正治療前（キャップ装着前）の歯の正面写真、正面拡大写真、右側写真、左側写真、上側写真、そして下側写真を示す。図１８〜図２１に初めて本発明のキャップを上顎第一乳臼歯と上顎第二乳臼歯に装着させた歯の正面写真、正面拡大写真、左側写真、そして右側写真を示す。図２２〜図２４は本発明のキャップを下顎第一乳臼歯と下顎第二乳臼歯に装着した写真を示す。図２５は２ヶ月後の歯の正面写真を示す。図２６はビムラー（Ｂｉｍｌｅｒ）を併用している正面写真を示す。図２７は４か月後の歯の正面写真を示す。図２８は９か月後の歯の正面写真を示す。図２９は１１か月後の歯の正面写真を示す。図３０は１７か月後の歯の正面写真を示す。図３１〜図３５は２４か月後の歯の正面写真、右側写真、左側写真、上側写真、そして下側写真を示す。図３６は２６か月後のキャップの正常な歯並びを示す写真である。
【００１０】
実際に子供に適用した別の実施例を示す。図３７は矯正治療中の歯並びの変化を時系列で示している。左上は矯正治療前（キャップ装着前）、左下はキャップを装着した１か月後、右上はその３ヶ月後、右下はキャップ装着から１７ヶ月後の正面写真をそれぞれ示す。
【００１１】
尚、上記機能的矯正キャップは子供の上顎および下顎の第一臼歯および第二臼歯の計８本の乳歯に装着させているが、乳歯が抜けて１本しか残っていない場合はその１本に装着しても効果は期待できるので、キャップを装着する本数には限定されない。理想としては、上の永久歯の前歯２本と下の永久歯の前場４本が揃った時期が一番よく、またきれいに治るが、最適の時期を過ぎたとしても、たとえば上の真中から２本目が下の歯の前にきてしまった時に治療を始めても間に合う。また、本発明に係る機能的矯正キャップを他の機能的矯正装置と併用しても支障ない。たとえば夜寝るときはビムラー（Ｂｉｍｌｅｒ）と併用するといったこともケースによっては効果的であり、むしろ望ましいこともある。さらに、上記実施例においては、本発明に係る機能的矯正キャップはまだ乳歯が残っている子供へ適用したが、これは奥歯の永久歯の正常な発達と正常な位置に移動する顕著な効果が期待できるからであるが、キャップそのものは装着すると噛み合わせが高くなるから口の中が広くなり歯の移動を容易とするから、乳歯のなくなった子供や大人へもケースによっては適用でき効果が期待できるので、子供の乳歯用に限定されない。また、特注で成形してもよいが、大小さまざまなサイズの既成の機能的矯正キャップを用意しておけば子供の乳歯のサイズに応じたものを選んで装着するだけでよく便利である。
【産業上の利用可能性】
【００１２】
本発明の機能的矯正キャップは、歯につけても患者の違和感が公知の機能的矯正装置に比べると著しく少なくから、取り外しのできない構成を採用することができ、使用すれば使用するほどその効果が期待できる機能的矯正装置の利点を最大限に活かすことができ、歯につけると同時に噛み合わせを変える構成としたから、公知の機能的矯正装置で一番気になる噛み合わせが変わるまでの期間が長いという問題点を一気に解決することができる。
また、乳歯の残っている子供に適用することにより、永久歯の中でも一番長く使う歯である第一大臼歯をいまより出させ、その子にとってバランスのよいいわばニュートラルゾーンに移動させるから、ブランケットを使用することなく歯並びを治すことができる。
また、プラスチックで成形されているから他の金属の機能的矯正装置と比べると装着時の違和感のなさが際立っているし、レントゲン透過性もある。  
さらに、白色のプラスチックで成形されているからキャップを装着していることを他人に気づかれたり、あるいは知られたりすることなく一日中つけて使用できるので、問題点を解決する時間を短くすることができる。
【図面の簡単な説明】
【００１３】
【図１】本発明に係る機能的矯正キャップ上顎第二乳臼歯２Ａの平面写真である。
【図２】本発明に係る機能的矯正キャップ上顎第二乳臼歯２Ａの底面写真である。
【図３】本発明に係る機能的矯正キャップ上顎第二乳臼歯２Ａの側面写真である。
【図４】上顎石膏モデル６のキャップ未装着平面写真である。
【図５】上顎石膏モデル６のキャップ装着平面写真である。
【図６】下顎石膏モデル７のキャップ未装着平面写真である。
【図７】上顎石膏モデル７のキャップ装着平面写真である。
【図８】上顎石膏モデル６のキャップ未装着正面写真である。
【図９】上顎石膏モデル６のキャップ装着正面写真である。
【図１０】下顎石膏モデル７のキャップ装着正面写真である。
【図１１】下顎石膏モデル７のキャップ装着正面写真である。
【図１２】治療前（キャップ装着前）の歯の正面写真である。
【図１３】治療前（キャップ装着前）の歯の正面拡大写真である。
【図１４】治療前（キャップ装着前）の歯の右側写真である。
【図１５】治療前（キャップ装着前）の歯の左側写真である。
【図１６】治療前（キャップ装着前）の歯の上側写真である。
【図１７】治療前（キャップ装着前）の歯の下側写真である。
【図１８】初めて本発明のキャップを上顎第一乳臼歯と上顎第二乳臼歯に装着させた歯の正面写真である。
【図１９】初めて本発明のキャップを上顎第一乳臼歯と上顎第二乳臼歯に装着させた歯の正面拡大写真である。
【図２０】初めて本発明のキャップを上顎第一乳臼歯と上顎第二乳臼歯に装着させた歯の右側写真である。
【図２１】初めて本発明のキャップを上顎第一乳臼歯と上顎第二乳臼歯に装着させた歯の左側写真である。
【図２２】初めて本発明のキャップを下顎第一乳臼歯と下顎第二乳臼歯に装着した正面写真を示す。
【図２３】初めて本発明のキャップを下顎第一乳臼歯と下顎第二乳臼歯に装着した右側写真を示す。
【図２４】初めて本発明のキャップを下顎第一乳臼歯と下顎第二乳臼歯に装着した左側写真を示す。
【図２５】キャップ装着２ヶ月後の歯の正面写真を示す。
【図２６】ビムラー（Ｂｉｍｌｅｒ）を併用している正面写真を示す。
【図２７】キャップ装着４ヶ月後の歯の正面写真を示す。
【図２８】キャップ装着９ヶ月後の歯の正面写真を示す。
【図２９】キャップ装着１１ヶ月後の歯の正面写真を示す。
【図３０】キャップ装着１７ヶ月後の歯の正面写真を示す。
【図３１】キャップ装着２４ヶ月後の歯の正面写真を示す。
【図３２】キャップ装着２４ヶ月後の歯の右側写真を示す。
【図３３】キャップ装着２４ヶ月後の歯の左側写真を示す。
【図３４】キャップ装着２４ヶ月後の歯の上側写真を示す。
【図３５】キャップ装着２４ヶ月後の歯の下側写真を示す。
【図３６】２６か月後の正常な歯並びを示す写真である。
【図３７】矯正治療中の歯並びの変化を時系列で示す正面写真である。
【符号の説明】
【００１４】
１Ａ    上顎第一乳臼歯キャップ
１Ｂ    上顎第一乳臼歯キャップ
２Ａ    上顎第二乳臼歯キャップ
２Ｂ    上顎第二乳臼歯キャップ
３Ａ    下顎第一乳臼歯キャップ
３Ｂ    下顎第一乳臼歯キャップ
４Ａ    下顎第二乳臼歯キャップ
４Ｂ    下顎第二乳臼歯キャップ
５      凹状部
６      上顎石膏モデル
７      下顎石膏モデル
【図１】
2010200986.tif 000003
【図２】
2010200986.tif 000004
【図３】
2010200986.tif 000005
【図４】
2010200986.tif 000006
【図５】
2010200986.tif 000007
【図６】
2010200986.tif 000008
【図７】
2010200986.tif 000009
【図８】
2010200986.tif 000010
【図９】
2010200986.tif 000011
【図１０】
2010200986.tif 000012
【図１１】
2010200986.tif 000013
【図１２】
2010200986.tif 000014
【図１３】
2010200986.tif 000015
【図１４】
2010200986.tif 000016
【図１５】
2010200986.tif 000017
【図１６】
2010200986.tif 000018
【図１７】
2010200986.tif 000019
【図１８】
2010200986.tif 000020
【図１９】
2010200986.tif 000021
【図２０】
2010200986.tif 000022
【図２１】
2010200986.tif 000023
【図２２】
2010200986.tif 000024
【図２３】
2010200986.tif 000025
【図２４】
2010200986.tif 000026
【図２５】
2010200986.tif 000027
【図２６】
2010200986.tif 000028
【図２７】
2010200986.tif 000029
【図２８】
2010200986.tif 000030
【図２９】
2010200986.tif 000031
【図３０】
2010200986.tif 000032
【図３１】
2010200986.tif 000033
【図３２】
2010200986.tif 000034
【図３３】
2010200986.tif 000035
【図３４】
2010200986.tif 000036
【図３５】
2010200986.tif 000037
【図３６】
2010200986.tif 000038
【図３７】
2010200986.tif 000039